【手続補正書】
【提出日】平成17年5月11日(2005.5.11)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  電動送風機を内蔵した本体と、前記電動送風機の運転を制御する制御回路と、前記制御回路を内蔵する手元ハンドルと、一端が本体に接続され他端が前記手元ハンドルに接続されたホ−スを有し、前記ホ−スに、線径の異なる硬鋼線を複数螺旋状に配し、線径の小さい方の前記硬鋼線を前記制御回路に電気的に接続した電気掃除機。
【請求項２】  電動送風機を内蔵した本体と、前記電動送風機の運転を制御する制御回路と、前記制御回路を内蔵する手元ハンドルと、一端が本体に接続され他端が前記手元ハンドルに接続されたホ−スと、延長管を介して前記手元ハンドルと接続される電動機を内蔵する床ノズルとを有し、前記ホ−スに、線径の異なる硬鋼線を螺旋状に配し、線径の小さい前記硬鋼線を前記制御回路側に、線径の大きい前記硬鋼線を前記床ノズル側に電気的に接続した電気掃除機。
【請求項３】  電動送風機を内蔵した本体と、前記電動送風機の運転を制御する制御回路と、前記制御回路を内蔵する手元ハンドルと、一端が本体に接続され他端が前記手元ハンドルに接続されたホ−スを有し、前記ホ−スに絶縁被覆硬鋼線と合成樹脂製補強線を螺旋状に配設し、前記絶縁被覆硬鋼線と前記制御回路とを電気的に接続した電気掃除機。
【請求項４】  合成樹脂製補強線を中空とした請求項３記載の電気掃除機。
【発明の詳細な説明】
【０００１】
【発明の属する技術分野】
本発明は、一般家庭で使用される電気掃除機に関するものである。
【０００２】
【従来の技術】
従来の電気掃除機を、図５〜図６を用いて説明する。
【０００３】
延長管２１の一端に電動機（図示せず）を内蔵した床ノズル２２を接続し、延長管２１の他端には先端パイプ２４が接続される。先端パイプ２４は掃除機本体２３内の電動送風機（図示せず）の運転を制御する制御回路（図示せず）を内蔵している。
【０００４】
ホ−ス２６は、その一端に、前記本体２３の吸気口２３ａに接続される接続パイプ２５を備え、他端に先端パイプ２４が接続されている。前記ホ−ス２６には、図６に示すように、ホ−ス２６の強度確保用並びに床ノズル２２及び前記制御回路への通電用に絶縁被覆補強線２７が、所定の間隔を保って複数螺旋状に配設され、さらに外皮テ−プ２８で覆われている。絶縁被覆補強線２７は、硬鋼線２９とそれを覆う絶縁被覆材３０で形成され、前記ホ−ス２６の質量は、前記外皮テ−プ２８、硬鋼線２９及び絶縁被覆材３０により決定される。
【０００５】
通常、掃除機本体２３の電動送風機の運転を制御する回路に流れる消費電流は、床ノズル２２に供給される消費電流に較べ小さいものである。
【０００６】
【発明が解決しようとする課題】
しかしながら、このような従来の掃除機においては、消費電流の大きさに関わらず、同一径の硬鋼線２９が使用されていた。即ち、小さい消費電流が流れる制御回路に接続される絶縁被覆補強線２７の硬鋼線２９の径と、大きな消費電流が流れる床ノズル２２に接続される絶縁被覆補強線２７の硬鋼線２９の径とが同一なため、ホース２６が太く、重くなっており、ホ−ス２６の軽量化の妨げとなり、また使用勝手の悪いホ−スとなっていた。
【０００７】
本発明は以上のような従来の課題を解決しようとするものであって、ホ−スを軽量化して、操作性の良い電気掃除機を提供することを目的としている。
【０００８】
【課題を解決するための手段】
上記目的を達成するために本発明は、ホ−スに線径の異なる硬鋼線を複数螺旋状に配設し、線径の小さい方の硬鋼線を制御回路に電気的に接続したもので、硬鋼線を細くした分、軽量化を促進するものである。
【０００９】
【発明の実施の形態】
本発明の請求項１記載の発明は、電動送風機を内蔵した本体と、前記電動送風機の運転を制御する制御回路と、前記制御回路を内蔵する手元ハンドルと、一端が本体に接続され他端が前記手元ハンドルに接続されたホ−スを有し、前記ホ−スに、線径の異なる硬鋼線を複数螺旋状に配し、線径の小さい方の前記硬鋼線を前記制御回路に電気的に接続したもので、制御回路と電気的に接続される硬鋼線の径が細い分、ホースを軽くすることができるものである。
【００１０】
本発明の請求項２記載の発明は、電動送風機を内蔵した本体と、前記電動送風機の運転を制御する制御回路と、前記制御回路を内蔵する手元ハンドルと、一端が本体に接続され他端が前記手元ハンドルに接続されたホ−スと、延長管を介して前記手元ハンドルと接続される電動機を内蔵する床ノズルとを有し、前記ホ−スに、線径の異なる硬鋼線を螺旋状に配し、線径の小さい前記硬鋼線を前記制御回路側に、線径の大きい前記硬鋼線を前記床ノズル側に電気的に接続するもので、硬鋼線の径を細くした分、ホースを軽くすることができるものである。
【００１１】
本発明の請求項３記載の発明は、電動送風機を内蔵した本体と、前記電動送風機の運転を制御する制御回路と、前記制御回路を内蔵する手元ハンドルと、一端が本体に接続され他端が前記手元ハンドルに接続されたホ−スを有し、前記ホ−スに絶縁被覆硬鋼線と合成樹脂製補強線を螺旋状に配し、前記絶縁被覆硬鋼線と前記制御回路とを電気的に接続するため、硬鋼線の使用量が半減でき、軽く出来るものである。
【００１２】
本発明の請求項４記載の発明は、合成樹脂製補強線を中空とすることにより、樹脂量を削減し、さらに軽量化を促進するものである。
【００１３】
【実施例】
（実施例１）
以下本発明の第１の実施例を、図１〜図２を用いて説明する。
【００１４】
図２は掃除機の全体を示すもので、吸引用の電動送風機（図示せず）を内蔵した電気掃除機本体１の吸気口１ａにホ−ス２の一端を接続し、その他端には、前記電動送風機の運転をコントロ−ルする制御回路（図示せず）を内蔵した手元ハンドル３が接続されている。
【００１５】
回転ブラシ（図示せず）または自走車輪（図示せず）を駆動する電動機（図示せず）を内蔵する床ノズル４と手元ハンドル３は、延長管５で連結されている。図１に示すように、前記ホ−ス２の内部には、通電用並びにホース２の補強を兼ねる補強線として、２種類の被覆補強線Ａ６（絶縁被覆硬鋼線に相当）及び被覆補強線Ｂ７（絶縁被覆硬鋼線に相当）が所定の間隔を保って、各２条づつ、合計４条が螺旋状に配設され、さらにその上が外皮テ−プ８で覆われている。
【００１６】
前記被覆補強線Ａ６並びにＢ７は、それぞれ硬鋼線ａ９、径小硬鋼線ｂ１０と、それらを覆う樹脂などから成る硬鋼線被覆１１で形成されている。そして径小硬鋼線ｂ１０の径は、硬鋼線ａ９に比較して径小に形成されている。
【００１７】
前記被覆補強線Ａ６及び被覆補強線Ｂ７は交互に配され、さらに所要電流値に対応して、被覆補強線Ａ６を床ノズル４に、被覆補強線Ｂ７を制御回路にそれぞれ接続している。
【００１８】
なお径小硬鋼線ｂ１０を用いた分、強度が弱くなるが、硬鋼線絶縁被覆１１の硬度や材質により強度を補っている。
【００１９】
上記構成による作用は以下の通りである。
【００２０】
被覆補強線Ａ６及び被覆補強線Ｂ７の硬鋼線ａ９及び径小硬鋼線ｂ１０を用いるため、径を細くした硬鋼線ｂ１０の質量差分ホ−ス２が軽く出来るものであり操作性が向上するものである。
【００２１】
又、床ノズル４が電動機を有しない一般の床ノズルの場合、前記電動機への電源供給は不要になり、導電線は信号のやりとり用に２本だけでよい。この際、被覆補強線Ａ６及びＢ７のそれぞれ１本を制御回路に電気的に接続するようにすると、被覆補強線Ａ６の硬鋼線ａ９が被覆補強線Ｂ７の硬鋼線ｂ１０より太いので、両方に細い硬鋼線ｂ１０を有する被覆補強線Ｂ７を用いるよりも、ホース２の保形強度が高められる効果もある。
【００２２】
（実施例２）
次に本発明の第２の実施例を、図３を用いて説明する。なお上記第１の実施例と同一構成部品については同一符号を付して、その説明を省略する。
【００２３】
床ノズルを使用しない掃除機の場合は、導電線は２本のみで良い。それを、図に示すように、導電線兼用の被覆補強線１２（絶縁被覆硬鋼線に相当）と合成樹脂製補強線１３を、２条づつ、合計４条を、交互に所定の間隔を保って螺旋状に配するものである。合成樹脂製補強線１３の強度については、材質及び硬度にて被覆補強線１２とのバランスを確保している。
【００２４】
上記構成による作用は以下の通りである。
【００２５】
４条の補強線のうち２条を合成樹脂製補強線１３を用いるため硬鋼線の使用量が半減でき、ホ−ス２の質量を軽く出来るものであり、操作性が向上するものである。
【００２６】
（実施例３）
次に本発明の第３の実施例を、図４を用いて説明する。本実施例は、上記第２の実施例で用いた合成樹脂製補強線１３に中空部１４を設けたもので、合成樹脂製補強線１３に中空部１４を設けることにより、断面形状による断面係数が向上し、曲げ応力が向上するとともに樹脂量を削減し軽量化を促進するものである。
【００２７】
【発明の効果】
本発明の請求項１及び２記載の発明によれば、複数の硬鋼線の１本以上を細くできるため、ホ−スの質量の軽減が行え、操作性の良い電気掃除機を提供出来るものである。
【００２８】
本発明の請求項３記載の発明によれば、合成樹脂製補強線を用いることにより、硬鋼線の使用量が低減でき、ホ−スの質量の軽減が行え、操作性の良い電気掃除機を提供出来るものである。
【００２９】
本発明の請求項４記載の発明によれば、合成樹脂製補強線に中空部を設けることにより、合成樹脂製補強線の強度ＵＰと、ホ−スの質量の軽減が行え、操作性の良い電気掃除機を提供出来るものである。
【図面の簡単な説明】
【図１】
（ａ）本発明の第１の実施例を示す電気掃除機のホ−スの一部破断側面図
（ｂ）同図（ａ）のＡ部拡大断面図
【図２】
同電気掃除機の全体側面図
【図３】
本発明の第２の実施例を示す電気掃除機のホ−スの一部破断側面図
【図４】
本発明の第３の実施例を示す電気掃除機のホ−スの一部破断側面図
【図５】
従来の電気掃除機の全体側面図
【図６】
従来の電気掃除機のホ−ス要部断面図
【符号の説明】
１  本体
２  ホ−ス
３  手元ハンドル
４  電動床ノズル
５  延長管
６  被覆補強線Ａ
７  被覆補強線Ｂ
８  外皮テ−プ
９  硬鋼線ａ
１０  径小硬鋼線ｂ
１１  硬鋼線被覆
１２  被覆補強線
１３  合成樹脂製補強線
１４  中空部